(57)【要約】【課題】職務乗車証等の特殊な通行券と使用する媒体が記録している通行券情報の更新にかかるコスト、および手間を低減することができる通行券更新システムを提供する。【解決手段】管理サーバ２は、データ通信回線を介して接続されている更新装置１から利用者情報が送信されてくると、その利用者情報で特定される利用者について、未発行の通行券情報があるかどうかを判定する。管理サーバ２は、未発行の通行券情報があれば、その通行券情報を更新装置１に通知する。更新装置１は、管理サーバ２から通知された通行券情報を通行券３に書き込む、また、通行券情報を書き込んだ通行券３の識別番号を管理サーバ２に通知する。管理サーバ２は、通知された通行券３の識別番号を、今回通知した通行券情報に関連づけて記憶する。【選択図】図１
2008059166.tif 000002
【特許請求の範囲】
【請求項１】
媒体に記録されている通行券情報を更新する更新装置と、
前記更新装置が更新する通行券情報を管理する管理サーバと、がデータ通信可能に接続された通行券更新システムにおいて、
前記更新装置は、
媒体に対する通行券情報の読み取りや、書き込みを行う媒体処理手段と、
利用者を特定する利用者情報の入力を受け付ける利用者情報受付手段と、
前記受付手段が受け付けた前記利用者情報を前記管理サーバに通知する利用者情報通知手段と、を備え、
前記管理サーバは、
前記利用者情報と、その利用者情報で特定される利用者に対する通行券情報と、を関連づけて記憶する通行券情報記憶手段と、
前記利用者情報通知手段により利用者情報が通知されたときに、今回通知された利用者情報で特定される利用者について、未更新である通行券情報を前記通行券情報記憶手段に記憶しているかどうかを判定する判定手段と、
前記判定手段が未更新である通行券情報を前記通行券情報記憶手段に記憶していると判定した場合に、その通行券情報を前記更新装置に通知する更新通知手段と、を備え、
さらに、前記更新装置は、
前記更新通知手段により通知された通行券情報に基づいて、媒体に記録されている通行券情報を前記媒体処理手段に書き換えさせる更新手段と、
前記更新手段による通行券情報の書き換え完了後に、通行券情報の更新完了を前記管理サーバに通知する更新完了通知手段と、を備え、
前記管理サーバは、
前記更新完了通知手段により通行券情報の更新完了が通知されたときに、更新完了を示す情報を、前記通行券情報記憶手段が記憶している該当する通行券情報に関連付ける更新管理手段を備えた、通行券更新システム。
【請求項２】
前記更新装置は、
前記更新完了通知手段が、更新完了とともに、今回通行券情報を書き換えた媒体の識別コードを通知する手段であり、
前記管理サーバは、
前記更新管理手段が、今回通行券情報が書き換えられた媒体の識別コードを、前記通行券情報記憶手段が記憶している該当する通行券情報に関連付ける手段である、
請求項１に記載の通行券更新システム。
【請求項３】
媒体に対する通行券情報の読み取りや、書き込みを行う媒体処理手段と、
利用者を特定する利用者情報の入力を受け付ける利用者情報受付手段と、
前記受付手段が受け付けた前記利用者情報を管理サーバに通知する利用者情報通知手段と、
前記利用者情報通知手段による前記利用者情報の通知に対する応答として、前記管理サーバから通知されてきた通行券情報に基づいて、媒体に記録されている通行券情報を前記媒体処理手段に書き換えさせる更新手段と、
前記更新手段による通行券情報の書き換え完了後に、通行券情報の更新完了を前記管理サーバに通知する更新完了通知手段と、を備えた更新装置。
【請求項４】
利用者情報と、その利用者情報で特定される利用者に対する通行券情報と、を関連づけて記憶する通行券情報記憶手段と、
データ通信可能に接続された更新装置から利用者情報が通知されたときに、今回通知された利用者情報で特定される利用者について、未更新である通行券情報を前記通行券情報記憶手段に記憶しているかどうかを判定する判定手段と、
前記判定手段が未更新である通行券情報を前記通行券情報記憶手段に記憶していると判定した場合に、その通行券情報を前記更新装置に通知する更新通知手段と、
前記更新装置から、前記更新通知手段により通知した通行券情報の更新完了が通知されたときに、更新完了を示す情報を、前記通行券情報記憶手段が記憶している該当する通行券情報に関連付ける更新管理手段と、を備えた管理サーバ。
【発明の詳細な説明】
【技術分野】
【０００１】
この発明は、通行券として使用するＩＣカード等の媒体に記録されている通行券情報を更新する通行券更新システム、この通行券更新システムに適用される更新装置、および管理サーバに関する。
【背景技術】
【０００２】
従来、鉄道の駅の改札口には、改札通路（以下、単に通路と言う。）を通行して駅構内に入場、または駅構内から出場する利用者に対して改札処理を行う自動改札機が設置されている。自動改札機は、周知のように、利用者が所持する乗車券に記録されている乗車券情報を読み取り、読み取った乗車券情報に基づいて、当該利用者の駅構内への入場、または駅構内からの出場を許可するかどうかを判定する。自動改札機は、駅構内への入場、または駅構内からの出場を許可すると判定した利用者については通路の通行を許可し、反対に許可しないと判定した利用者については、通路の通行を禁止する。
【０００３】
最近、乗車券として、無線通信機能を有するＩＣカード（以下、非接触式ＩＣカードと言う。）を使用する傾向にある。その一方で、従来の磁気券と非接触式ＩＣカードを併用する利用者や、複数枚の非接触式ＩＣカードを併用する利用者は、複数枚の乗車券を使い分けなければならない。その結果、利用者に煩わしさを感じさせ、利便性を低下させてしまっている。そこで、複数枚の乗車券に記録されている乗車券情報を、１枚の非接触式ＩＣカードに纏めて記録することが提案されている（特許文献１参照）。この特許文献１では、磁気券と非接触式ＩＣカードとを受け付け、磁気券に記録されている乗車券情報を、非接触式ＩＣカードに書き込むことで、磁気券と非接触式ＩＣカードとを１つに纏める構成が記載されている。
【特許文献１】特開２００５−１００２５２号公報
【発明の開示】
【発明が解決しようとする課題】
【０００４】
しかしながら、特許文献１でも示されている職務乗車証等の特殊な通行券を非接触式ＩＣカードで発行する場合、後述する問題が生じる。ここで言う職務乗車証とは、電鉄会社の社員が業務上通行することができる駅の自動改札機や、出入りすることができる区域（例えば、本社、駅務室、サーバ室）等を通行券情報として記録した券である。また、ここで言う特殊な通行券とは、上述した職務乗車証に限らず、電鉄会社以外の会社であっても、その社員が出入りすることができる区域を通行券情報として記録した券も含んでいる。人の出入りを制限している区域には、通常、通行券に記録されている通行券情報を読み取って、社員の出入りを許可するかどうかを判定し、判定結果に基づいて社員の出入りを制限するゲート装置が設けられている。ゲート装置としては、例えば出入口の扉に取り付けられた電子錠を開閉する装置がある。
【０００５】
上述した特殊な通行券は、社員の勤務地や、業務種別等が変わり、その社員に対して出入りすることを許可する区域等に変更が生じた場合、その変更に応じた通行券情報を記録した通行券の発行を速やかに行う必要がある。そして、この特殊な通行券を非接触式ＩＣカードで発行している場合、
（１）通行券情報を更新した非接触式ＩＣカードを新規発行するとともに、社員に発行されているＩＣカードを回収する方法や、
（２）社員が、自ら非接触式ＩＣカードを発行センタに持参し、センタで記録されている通行券情報の更新（書き換え）を行う方法、
がとられている。
【０００６】
上記（１）の方法では、非接触式ＩＣカードを頻繁に新規発行することになり、コスト面での問題が大きい。また、非接触式ＩＣカードに、定期券等の乗車券情報を纏めていると、新規に発行される非接触式ＩＣカードにこれらの情報を加えなければならない。このため、非接触式ＩＣカードの新規発行よりも前に、社員に発行されているＩＣカードを回収しなければならず、非接触式ＩＣカードが新規発行されるまでの間、纏められていた定期券等が使用できなくなる。また、上記（２）の方法では、非接触式ＩＣカードに記録されている通行券情報の更新のためだけに、発行センタに赴かなければならないという問題がある。特に、発行センタから離れた地域で勤務している社員にとって不便であり、大きな問題である。
【０００７】
なお、上述した乗車券情報は、通行券情報に含まれる１つの種類である。
【０００８】
この発明の目的は、職務乗車証等の特殊な通行券として使用する媒体に記録されている通行券情報の更新にかかるコスト、および手間を低減することができる通行券更新システム、この通行券更新システムに適用される更新装置、および管理サーバを提供することにある。
【課題を解決するための手段】
【０００９】
この発明の通行券更新システムは、上記課題を解決するために以下の構成を備えている。
【００１０】
（１）媒体に記録されている通行券情報を更新する更新装置と、
前記更新装置が更新する通行券情報を管理する管理サーバと、がデータ通信可能に接続された通行券更新システムにおいて、
前記更新装置は、
媒体に対する通行券情報の読み取りや、書き込みを行う媒体処理手段と、
利用者を特定する利用者情報の入力を受け付ける利用者情報受付手段と、
前記受付手段が受け付けた前記利用者情報を前記管理サーバに通知する利用者情報通知手段と、を備え、
前記管理サーバは、
前記利用者情報と、その利用者情報で特定される利用者に対する通行券情報と、を関連づけて記憶する通行券情報記憶手段と、
前記利用者情報通知手段により利用者情報が通知されたときに、今回通知された利用者情報で特定される利用者について、未更新である通行券情報を前記通行券情報記憶手段に記憶しているかどうかを判定する判定手段と、
前記判定手段が未更新である通行券情報を前記通行券情報記憶手段に記憶していると判定した場合に、その通行券情報を前記更新装置に通知する更新通知手段と、を備え、
さらに、前記更新装置は、
前記更新通知手段により通知された通行券情報に基づいて、媒体に記録されている通行券情報を前記媒体処理手段に書き換えさせる更新手段と、
前記更新手段による通行券情報の書き換え完了後に、通行券情報の更新完了を前記管理サーバに通知する更新完了通知手段と、を備え、
前記管理サーバは、
前記更新完了通知手段により通行券情報の更新完了が通知されたときに、更新完了を示す情報を、前記通行券情報記憶手段が記憶している該当する通行券情報に関連付ける更新管理手段を備えている。
【００１１】
この構成では、更新装置と、管理サーバとがデータ通信可能に接続されている。このシステムが、例えば職務乗車証にかかる通行券情報を更新するものであれば、管理サーバは電鉄会社の本社やサーバ室等に設置され、更新装置は各駅や管区駅に設置される。また、電鉄会社以外の会社であれば、管理サーバは本社やサーバ室等に設置され、更新装置は各支店や各工場に設置される。更新装置は、利用者情報の入力を受け付けると、これを管理サーバに通知する。管理サーバは、更新装置から通知された利用者情報で特定される利用者について、未更新である通行券情報を通行券情報記憶手段に記憶しているかどうかを判定する。そして、管理サーバは、未更新の通行券情報を通行券情報記憶手段に記憶していると、その通行券情報を更新装置に通知する。更新装置は、媒体が記憶している通行券情報を、管理サーバから通知された未更新の通行券情報に書き換える更新を行う。そして、更新完了後に、更新完了を管理サーバに通知する。管理サーバは、更新装置から更新完了が通知されると、更新完了を該当する通行券情報に関連づけて記憶する。
【００１２】
したがって、勤務地や、業務種別等が変わり、出入りすることを許可される区域等に変更が生じた社員に対して、更新される通行券情報が管理サーバに登録されていることを電話等で通知しておけば、この社員が自分にとって都合のよい場所、例えば自分が勤務している駅や、その地域の管区駅、に設置されている更新装置に赴いて、自ら媒体に記録されている通行券情報を更新することができる。また、この媒体が定期券等にかかる他の種類の通行券情報を記録していても、この他の種類の通行券情報を使用できない期間が生じることもない。さらに、管理サーバは、更新が完了した通行券情報については、更新完了を関連づけて記憶するので、通行券情報の二重発行に対するセキュリティも確保できる。
【００１３】
（２）前記更新装置は、
前記更新完了通知手段が、更新完了とともに、今回通行券情報を書き換えた媒体の識別コードを通知する手段であり、
前記管理サーバは、
前記更新管理手段が、今回通行券情報が書き換えられた媒体の識別コードを、前記通行券情報記憶手段が記憶している該当する通行券情報に関連付ける手段である。
【００１４】
この構成では、管理サーバにおいて、通行券情報毎に、その通行券情報を記録した媒体を管理することができる。このため、媒体の紛失にともなう再発行の管理や、紛失した媒体の不正使用に対する管理が適正に行える。
【発明の効果】
【００１５】
この発明によれば、職務乗車証等の特殊な通行券として使用する媒体に記録されている通行券情報の更新にかかるコスト、および手間を低減することができる。また、通行券情報の二重発行に対するセキュリティも確保できる。
【発明を実施するための最良の形態】
【００１６】
以下、この発明の実施形態である通行券更新システムについて説明する。
【００１７】
図１は、この発明の実施形態である通行券更新システムの構成を示す図である。この実施形態の通行券更新システムは、電鉄会社で使用されるシステムであり、電鉄会社社員に発行する職務乗車証にかかる通行券情報を更新するシステムである。この通行券更新システムは、複数の更新装置１と、管理サーバ２と、を備えている。各更新装置１は、管理サーバ２にデータ通信可能に接続されている。更新装置１は、各駅や、管区駅に設置される。また、管理サーバ２は、本社や、サーバ室に設置される。更新装置１は、通行券３に記録されている職務乗車証にかかる通行券情報を更新する装置である。管理サーバ２は、更新装置１において更新される職務乗車証にかかる通行券情報を管理する装置である。職務乗車証とは、上述したように、電鉄会社の社員に対して発行されるものであり、職務乗車証にかかる通行券情報とは、職務上出入りすることを許可する区域を示す情報である。ここで言う区域とは、例えば本社、サーバ室、改札、駅務室等である。各区域の出入り口に設けられているゲート装置（ここで言うゲート装置には、自動改札機も含まれる。）は、通行券３に記録されている通行券情報に基づいて、利用者の通行可否（出入りの可否）を判定する。ゲート装置は、通行否と判定した場合、その利用者の通行を禁止する。また、この実施形態の通行券３は、職務乗車証にかかる通行券情報に加えて、定期券にかかる乗車券情報や、プリペイド券にかかる乗車券情報等を纏めて記録することができる。乗車券情報は、１種の通行券情報である。通行券３は、無線通信機能を有する非接触式のＩＣカードである。
【００１８】
なお、駅の改札口に設置されている自動改札機は、職務乗車証にかかる通行券情報で出入りすることが許可されていない場合であっても、その通行券３に記録されている定期券にかかる乗車券情報や、プリペイド券にかかる乗車券情報等により、利用者の通行を許可することができれば、通行可と判定する。
【００１９】
図２は、この実施形態にかかる更新装置の主要部の構成を示す図である。更新装置１は、制御部１１と、通行券処理部１２と、通信部１３と、入力部１４と、表示部１５と、を備えている。制御部１１は、予めインストールされているプログラムにより、本体各部の動作を制御する。制御部１１は、動作時に生じたデータ等を一時的に記憶するメモリ等を有している。通行券処理部１２は、通行券３に記録されている通行券情報の読取や、通行券３に記録されている通行券情報の更新（書換）を行う。通行券処理部１２は、通行券３との間で無線通信が行える構成である。通信部１３は、データ通信回線を介して管理サーバ２とデータ通信を行う。通信部１３には、管理サーバ２に送信するデータを暗号化する機能や、管理サーバ２から送信されてきたデータを復号化する機能が設けられている。入力部１４は、マウスやキーボード等の入力デバイスを備え、入力デバイスによる入力を受け付ける。表示部１５は、利用者に対する操作案内や、入力部１４で受け付けた入力内容等を表示する。
【００２０】
図３は、この実施形態にかかる管理サーバの主要部の構成を示す図である。管理サーバ２は、制御部２１と、通信部２２と、記憶部２３と、入力部２４と、表示部２５と、を備えている。制御部２１は、本体各部の動作を制御する。制御部２１には、動作時に発生したデータ等の一時的に記憶するメモリを有している。通信部２２は、上述した更新装置１とデータ通信を行う。通信部２２には、更新装置１に送信するデータを暗号化する機能や、更新装置１から送信されてきたデータを復号化する機能が設けられている。記憶部２３は、職務乗車証にかかる通行券情報を記憶するハードディスク等の記録媒体を有している。記憶部２３が記憶している職務乗車証にかかる通行券情報には、未発行のものだけでなく、発行済みのものも含まれている。
【００２１】
図４は、職務乗車証にかかる通行券情報を示す図である。職務乗車証にかかる通行券情報は、図４に示すように、１８の項目を関連付けたものである。社名は、この職務乗車証を発行する電鉄会社の社名コードである。氏名は、この職務乗車証を発行する利用者（電鉄会社の社員）の氏名である。社員コードは、この職務乗車証を発行する社員の識別コード（例えば、社員番号）である。電話番号は、この社員の自宅の固定電話、または携帯電話の電話番号である。性別は、この社員の性別である。通行券番号は、この職務乗車証にかかる通行券情報を記録した通行券３の識別番号である。パスワードは、この社員が予め定めたものである。年齢は、この社員の年齢である。勤務種別は、この社員の勤務種別を示す。例えば本社事務、本社営業、本社電気、車掌区、運転区、出札、改札を示す。出入り有効範囲は、この社員に対して出入りを許可する区域を示す。例えば、全ての区域（ＡＬＬ）、本社のみ、サーバ室、改札、駅務室を示す。有効期限は、その職務乗車証の有効期限（開始年月日と終了年月日）を示す情報である。継続は、職務乗車証の有効期限を更新時に継続するかどうかを示す。有効範囲は、その職務乗車証が自社のみで有効か、他社でも有効かを示す。自社有効範囲は、その職務乗車証が有効である自社の路線等を示す。他社有効範囲（１）、（２）は、その職務乗車証が有効である他社の会社コードを示す。発行状況は、その職務乗車情報の発行状況を示し、発行場所、発行年月日、再発行の有無等を示す。データ設定入力日は、この職務乗車証にかかる通行券情報を記憶部２３に記憶した年月日を示す。図４に示す書込有無は、通行券３に書き込まれるデータであるかどうかを示している。通行券番号は、通行券３の識別番号であり、元々通行券３に記憶されている。
【００２２】
入力部２４は、キーボードやマウス等の入力デバイスを有し、これらの入力デバイスによる入力を受け付ける。表示部２５は、液晶表示部等の表示デバイスを有し、この表示デバイスに前記入力部２４において入力されたデータや、記憶部２３に記憶している職務乗車証にかかる通行券情報等を表示する。
【００２３】
なお、入力部２４、および表示部２５は、ＬＡＮ等で接続されたパーソナルコンピュータ等の情報処理装置と通信する通信部で構成してもよい。この場合、管理サーバは、情報処理装置から送られてきたデータを入力データとして処理し、また情報処理装置に対して記憶部２３に記憶している職務乗車証にかかる通行券情報等を表示データとして送信する。
【００２４】
次に、この実施形態にかかる通行券更新システムの動作について説明する。まず、管理サーバ２への職務乗車証にかかる通行券情報の登録について説明する。この実施形態の通行券更新システムでは、オペレータが、入力部２４において発行する職務乗車証にかかる通行券情報を入力する。このとき、オペレータは、図４に示す１８項目のデータの内、通行券番号、発行状況、およびデータ設定入力日以外の１５項目についてデータの入力を行う。
【００２５】
なお、社員名簿等を管理している他のシステムと連携させて、オペレータに入力させるデータの項目を減らすこともできる。例えば、社員コードが入力されると、電話番号、性別、パスワード、年齢等を、連携している他のシステムから取得し、自動的に入力する構成とすることもできる。
【００２６】
管理サーバ２は、オペレータにより入力されたデータに基づく通行券情報を記憶部２３に記憶する。このとき、記憶部２３に記憶される通行券情報は、通行券番号、発行状況については空であるが、データ設定入力日については自動的に設定されている。また、通行券情報を管理サーバ２の記憶部２３に記憶させた社員に対して、通行券３に記録されている通行券情報の更新を指示する通知が電話等で行われる。
【００２７】
管理サーバ２は、記憶部２４に記憶している職務乗車証にかかる通行券情報毎に、未発行であるか、発行済みであるかを管理している。具体的には、記憶部２４に記憶している職務乗車証に係る通行券情報において、通行券番号が空であるかどうかにより、未発行であるか、発行済みであるかを管理している。通行券番号は、後述するように、対応する職務乗車証にかかる通行券情報が通行券３に記録されたときに、その通行券３の識別番号が登録される。また、管理サーバ２は、記憶部２４に記憶している職務乗車証にかかる通行券情報毎に、発行場所、発行年月日、再発行の有無等についても管理する。この管理は、通行券情報に含まれている発行状況により行われ、発行時に、そのときの状況が自動的に登録される。
【００２８】
次に、この通行券更新システムにおける職務乗車証の発行処理について説明する。図５は、更新装置の動作を示すフローチャートであり、図６は、管理サーバの動作を示すフローチャートである。職務乗車証にかかる通行券情報が発行される社員には、そのことが電話等で事前に通知されている。更新装置１は、各駅や管区駅に設置されている。このため、職務乗車証にかかる通行券情報を更新する社員は、通行券情報の更新が自分が勤務している駅や、その駅の管区駅に赴けばよい。職務乗車証にかかる通行券情報を更新する社員は、発行される通行券情報を記録する通行券３を通行券処理１２に挿入する。この通行券３は、更新前の通行券情報が記録されている通行券３であってもよいし、更新前の通行券情報が記録されていない通行券３であってもよい。また、定期券やプリペイド券等にかかる他の種類の通行券情報が記録されている通行券３であってもよい。
【００２９】
更新装置１は、通行券処理部１２において、通行券３を受け付けると（ｓ１）、入力部１４において利用者情報が入力されるのを待つ（ｓ２）。職務乗車証にかかる通行券情報を更新する社員は、入力部１４において、利用者情報を入力する。この利用者情報には、社員コード、電話番号、およびパスワードが含まれている。更新装置１は、利用者情報が入力されると、通信部１３において、今回入力された利用者情報を管理サーバ２に通知する（ｓ３）。ｓ３では、入力された利用者情報を、予め定められている暗号化方式で暗号化し、管理サーバ２へ通知する。
【００３０】
管理サーバ２は、通信部２２で、いずれかの更新装置１から利用者情報を受信すると（ｓ１１）、その利用者情報で特定される利用者について、未発行の通行券情報を記憶部２３に記憶しているかどうかを判定する（ｓ１２）。ｓ１１では、受信した利用者情報を復号化している。また、ｓ１２では、記憶部２３に記憶している通行券情報に対して、今回受信した利用者情報に含まれている社員コード、電話番号、およびパスワードが全て一致し、且つ通行券番号が空である通行券情報を検索し、該当する通行券情報があれば、未発行の通行券情報を記憶部２３に記憶していると判定する。反対に、該当する通行券情報がなければ、未発行の通行券情報を記憶部２３に記憶していないと判定する。管理サーバ２は、未発行の通行券情報があれば、その通行券情報を更新装置１に通知する（ｓ１３）。ｓ１３では、通信部２２において、通行券情報を予め定められている暗号化方式で暗号化し、更新装置１へ通知する。一方、管理サーバ２は、未発行の通行券情報がなければ、その旨を更新装置１に通知し（ｓ１７）、ｓ１１に戻る。
【００３１】
更新装置１は、管理サーバ２から未発行の通行券情報がない旨の通知を受信すると、表示部１５にその旨を表示する（ｓ４、ｓ５）。そして、ｓ１で受け付けた通行券３が抜き取られるの待って（ｓ６）、ｓ１に戻る。一方、管理サーバ２から更新する通行券情報を受信すると、通行券処理部１２において、ｓ１で受け付けた通行券３が記憶する職務乗車証にかかる通行券情報を、今回受信した通行券情報に書き換える更新を行う（ｓ４、ｓ７）。更新装置１は、定期券やプリペイド券等にかかる他の種類の通行券情報が通行券３に記録されている場合、この他の種類の通行券情報については書き換えない。更新装置１は、ｓ７にかかる通行券情報の更新が完了すると、ｓ１で受け付けた通行券３、すなわち今回通行券情報を書き込んだ通行券３、の識別番号を含む更新完了通知を管理サーバ２に送信する（ｓ８）。この更新完了にかかる通知も暗号化して、管理サーバ２に通知する。そして、更新装置１は、ｓ１で受け付けた通行券３が抜き取られるの待って（ｓ９）、ｓ１に戻る。
【００３２】
管理サーバ２は、更新装置１からの更新完了を受信すると（ｓ１４）、今回更新装置１から通知された通行券３の識別番号を、ｓ１３で更新装置１に通知した通行券情報の通行券番号として記憶する（ｓ１５）。ｓ１５にかかる処理を実行することで、記憶部２３に記憶している通行券情報と、この通行券情報を記録した通行券３を関連付けている。また、管理サーバ２は、ｓ１３で更新装置１に通知した通行券情報の発行状況にかかるデータを記憶し（ｓ１６）、ｓ１に戻る。ｓ１６では、今回通行券情報の更新を行った更新装置１の設置場所を、発行場所として記憶する。管理サーバ２は、更新装置１との通信において使用した、この更新装置１の識別番号から設置場所を判別する。また、当日の年月日を、発行年月日として記憶する。
【００３３】
このように、この実施形態の通行券更新システムによれば、職務乗車証にかかる通行券情報の更新に際して、社員から通行券３を回収する必要もなく、また、更新の度に通行券３を新規に発行する必要もないので、更新かかるコストを抑えることができる。また、利用者の利便性も十分に確保できる。また、管理サーバ２において、記憶部２３に記憶している通行券情報毎に、未発行であるか、発行済みであるかを管理しているので、二重発行に対するセキュリティも確保できる。また、通行券情報を記録した通行券３の識別番号を管理する構成であるので、その通行券３の紛失にともなう再発行の管理や、紛失した媒体の不正使用に対する管理が適正に行える。また、通行券情報を再発行する場合には、通行券３を紛失した社員からの連絡に応じて、オペレータが再発行する通行券情報を管理サーバ２の記憶部２３に新たに記憶させる。このとき、記憶部２３に記憶させる通行券情報は、上述した更新時と同様に、通行券番号については空であるが、発行状況については再発行を示すデータを登録すればよい。これにより、更新装置１において、通行券情報の再発行が行え、再発行時の手間も十分に低減できる。
【００３４】
なお、上記実施形態の更新装置１は、券売機、精算機、自動改札機等の駅務機器に上述した機能を組み込んで、構成してもよい。
【００３５】
また、上述した実施形態では、職務乗車証にかかる通行券情報を更新するシステムを例にして本願発明を説明したが、電鉄会社以外の会社であっても、その社員が出入りすることができる区域を通行券情報として記録した通行券３に対して、通行券情報を更新するシステムにも適用できる。
【図面の簡単な説明】
【００３６】
【図１】この発明の実施形態である通行券更新システムの構成を示す図である。
【図２】この実施形態にかかる更新装置の主要部の構成を示す図である。
【図３】この実施形態にかかる管理サーバの主要部の構成を示す図である。
【図４】職務乗車証にかかる通行券情報を示すである。
【図５】この実施形態にかかる更新装置の動作を示すフローチャートである。
【図６】この実施形態にかかる管理サーバの動作を示すフローチャートである。
【符号の説明】
【００３７】
１−更新装置
２−管理サーバ
３−通行券
１１−制御部
１２−通行券処理部
１３−通信部
１４−入力部
１５−表示部
２１−制御部
２２−通信部
２３−記憶部
２４−入力部
２５−表示部
【図１】
2008059166.tif 000003
【図２】
2008059166.tif 000004
【図３】
2008059166.tif 000005
【図４】
2008059166.tif 000006
【図５】
2008059166.tif 000007
【図６】
2008059166.tif 000008